(57)【特許請求の範囲】
【請求項１】
低摩擦精密スピンドルユニットであって、
軸体（１）と、
該軸体を包囲し該軸体の直径よりも大きい内径を有する管状のハウジング（３）と、
ハウジングの内部にて軸体に組み込まれ、軸体の肩部（２）に対して内輪の一端面が当接している第一のころがり軸受（４）と、
軸方向に突出した環状フランジ（９ａ）が第一のころがり軸受（４）の内輪の他端面と係合すると共に軸体に圧力嵌めされた第一のロックワッシャ（９）であって、第一の軸受を軸体上の肩部（２）と該第一のロックワッシャ（９）の環状フランジ（９ａ）との間で軸方向に位置固定するようになっている該第一のロックワッシャ（９）と、
軸体に圧力嵌めされた第二のロックワッシャ（８）と、
第二のロックワッシャ（８）と第二のころがり軸受（６）の内輪の軸方向外方の端面との間に配された弾性部材（７）と、
ハウジングの内面から半径内方に突出した第一の肩部（５）であって、第二のころがり軸受（６）の外輪の内側端面が当接する該第一の肩部（５）と、
を有する精密スピンドルユニットにおいて、
弾性部材（７）によって圧せられて第二の軸受（６）がハウジング内で該弾性部材（７）と第一の肩部（５）との間で予圧されており、
第一及び第二のロックワッシャ（８，９）がハウジングの端部（３ａ，３ｂ）の軸方向両端における端面に沿って半径方向に延びていて該端面との間にスロットシール（１０）を形成し、第一及び第二のころがり軸受（４，６）がそれらの外側側部で一体型組込みシール（１１）を有していること、
を特徴とする精密スピンドルユニット。
【請求項２】
第一及び第二の軸受（４，６）は軸受ハウジング（３）内で軸方向にてハウジングの対向両端部近傍にそれぞれ離れて配置されていることとする請求項１に記載の精密スピンドルユニット。
【請求項３】
第一及び第二のころがり軸受が深溝玉軸受であり、一方の玉軸受（４）が固定軸受で他方の玉軸受（６）が可動軸受として配設され、可動軸受（６）の固定軸受（４）方向の予圧が弾性部材（７）によって与えられており、両軸受が背面組合せの位置関係で配設されていることとする請求項１又は請求項２に記載の精密スピンドルユニット。
【請求項４】
弾性部材（７）は軸体（１）上に配されたステンレス鋼製のばねであることとする請求項１ないし請求項３のうちの一つに記載の精密スピンドルユニット。
【請求項５】
スリーブ状の軸受ハウジング（３）はアルミニウム製であり、外周面に陽極コーティングが施されていることとする請求項１ないし請求項４のうちの一つに記載の精密スピンドルユニット。
【発明の詳細な説明】
【０００１】
【発明の属する技術分野】
本発明は低摩擦性能で、高安定を要求し低損失かつ高速回転を可能とする回転系に用いられる精密スピンドルユニットに関する。
【０００２】
【従来の技術】
かかるスピンドルユニットは、例えば、趣味用機器、玩具、測定機器、そして釣用リール等に用いられる。釣用リールでは、そのスプールを信頼性をもって円滑に操作できそして低ノイズにする目的で採用される。
【０００３】
釣用リールの特性を決定する一つの要素として、いわゆる自由スプール回転時間が挙げられる。これはスプールが規定の作用の状態になった後に回転し続ける時間を言う。自由スプール回転時間の算出は、スプールがほぼ水平に位置しているリールで保持されている状態で行われる。２０ｇの重りに取りつけられた５００ｍｍの糸がテープでスプールに取りつけられる。糸がスプール上に巻回され、次に重りが落とされる。重りが落とされた瞬間からスプールの回転が停止するまでの時間が測定される。
【０００４】
【発明が解決しようとする課題】
本発明の目的は、例えば、増長改善された自由スプール回転時間を釣用リールに与えることによって操作特性を良好とするスピンドルユニットを提供することにある。
【０００５】
本発明によるスピンドルユニットはかかる釣用リールに限定されるものではなく、円滑低摩擦回転特性が要求される他の分野にも適用される。
【０００６】
【課題を解決するための手段】
本発明によれば、上記目的は、
低摩擦精密スピンドルユニットであって、
軸体と、
該軸体を包囲し該軸体の直径よりも大きい内径を有する管状のハウジングと、
ハウジングの内部にて軸体に組み込まれ、軸体の肩部に対して内輪の一端面が当接している第一のころがり軸受と、
第一のころがり軸受の内輪の他端面と係合すると共に軸体に圧力嵌めされた第一のロックワッシャであって、第一の軸受を軸体上の肩部と該第一のロックワッシャの該環状フランジとの間で軸方向に位置固定するようになっている該第一のロックワッシャと、
軸体に圧力嵌めされた第二のロックワッシャと、
第二のロックワッシャと第二のころがり軸受の内輪の軸方向外方の端面との間に配された弾性部材と、
ハウジングの内面から半径内方に突出した第一の肩部であって、第二のころがり軸受の外輪の内側端面が当接する該第一の肩部と、
を有する精密スピンドルユニットにおいて、
弾性部材によって圧せられて第二の軸受がハウジング内で該弾性部材と第一の肩部との間で予圧されており、
第一及び第二のロックワッシャがハウジングの端部の軸方向両端における端面に沿って半径方向に延びていて該端面との間にスロットシールを形成し、第一及び第二のころがり軸受がそれらの外側側部で一体型組込みシールを有していること、
により達成される。
【０００７】
【発明の実施の形態】
以下、添付図面にもとづき、本発明の実施の形態を説明する。
【０００８】
図１は本発明による低摩擦精密スピンドルユニットの構成を示す断面図である。ユニットは長い軸体１に一端部１ａと他端部１６と少なくとも一つのカラー２を有し、該軸体１には一端部１ａと他端部１ｂとの間に少なくとも一つのカラー２が設けられている。管状、実質的にスリーブ状で一端部３ａと他端部３ｂとを有する軸受ハウジング３が上記軸体１の一端部１ａと他端部１ｂとの間の部分で軸体１を包囲するように設けられている。第一のころがり軸受４、好ましくは図示のごとくの深溝玉軸受が配設されていて、その内輪が軸体１上でカラー２の一側端に当接している。この第一の軸受４の外輪はハウジング３の他端部３ｂの近傍で該ハウジングの内面に締り嵌めで組み込まれており、これにより、内輪が軸体に対し遊嵌となっていても、この第一の軸受４は位置決め軸受となり、すなわち、軸受ハウジング３又は軸体１に対し相対移動しない。その反対側である一端部３ａでは、軸受ハウジング３は内径が大きくなっている筒状部を有し、該筒状部は軸受ハウジングの一端部３ａと対向し該一端部３ａの端面から所定の距離の位置にラジアル肩部５が形成している。第二のころがり軸受６、この場合も好ましくは深溝玉軸受が可動軸受として軸体１上で、軸体１と軸受ハウジング３の大きい内径の筒状部に対して遊嵌されている。第二の軸受６の外輪は軸受ハウジングの肩部５に当接していると共にばね７等の弾性部材によって予圧されている。ばね７の他端側は圧力嵌め等によって軸体１にしっかりと取りつけられたロックワッシャ８に当接している。又、二つの軸受は、できる限り離れて位置していて剛性そして安定性能を呈するようになっていることが重要である。
【０００９】
軸受ハウジング３の他端部３ｂ側には、ロックワッシャ９が設けられていて、該ロックワッシャは圧力嵌め等により軸体へしっかりと取りつけられている。該ロックワッシャは環状で軸方向に突出するフランジ９ａを有し、該フランジは軸１上のカラー２に対して反対側で第一のころがり軸受４の側面に当接している。このように第一の軸受４の内輪は軸体上のカラー２とフランジ９ａとの間でクランプされる。第二の軸受６が第一の軸受に向けばね７により圧せられる内輪を有する可動軸受となっているので、これらの二つの軸受は背面組合せの位置関係で配置することができ、両方向での軸方向荷重を支持可能となり、又、モーメント荷重を支持する剛性をもった配置が可能となる。
【００１０】
軸体１にしっかりと取りつけられたロックワッシャ８，９は軸受ハウジングの内径よりも半径方向外側に延びており、軸受ハウジングの端面に対面していて、該軸受ハウジングの端面と対応ロックワッシャの端面との間に狭いスロット１０が形成されている。第一の軸受４そして第二の軸受６のそれぞれは、一体に組み込み込まれたシール１１が外側側面の位置に設けられていて、各ロックワッシャと軸受ハウジングとの間の狭いスロット１０がさらなるラビリンスシールを形成するようになり、このラビリンスシールは軸体と軸受ハウジングの高速相対回転時に、軸受ハウジング内への吸気よりも大きい排気ポンプ効果をもたらすようになる。
【００１１】
上述した精密なスピンドル構造のもとでの低摩擦性能が非常に高速な回転を可能とし、その結果、損失も小さい。
【００１２】
図示された形態での軸受ハウジングの外周面には中央溝部１２そしてさらに周溝１３が形成されており、該周溝１３には弾性圧縮性部材１４、好ましくはＯリング部材が配設されている。
【００１３】
軸受ハウジングの外周面の形態は、勿論、スピンドルの用途に好適なものとするのが良い。図示され既述された実施形態のスピンドルユニットは主として釣用リールのスプールを支持するものであって、軸受ハウジングの外周面の中央溝部１２は一方向の軸方向荷重を受け、又スピンドルユニットとその内部軸受をスプールに対して位置決めするための肩部を形成し、弾性を有するＯリング部材１４は軸受ハウジング３とこれを包囲する部材、すなわち図示の例では釣用リールのスプールとの間に半径方向遊びをもった自由度を許容する。
【００１４】
図２は図１に対応しているが断面されていない。この図２からも判るように、スピンドルユニットの外観は釣用リールのスプールである。
【００１５】
図示された形態では、軸体１は好ましくはステンレス鋼の軸体であり、一方、軸受ハウジング３はアルミニウムから作られている。好ましくは、軸受ハウジングの外周面には陽極コーティングが施されている。ロックワッシャ８，９は好ましくは黄銅から作られ、又、Ｏリング部材は好ましくは標準ゴムＯリングとする。
【００１６】
本発明の以上の形態は、特定の目的のための形態と関連づけて図示され説明されてきたが、図示の例に限定されず、種々変形可能なことは明らかである。
【００１７】
【発明の効果】
本発明は、以上のように、弾性部材によって軸受に予圧を与え、又、ハウジング内の軸受をスロット状のシールにより保護することとしたので、長期間にわたり、スピンドルは低摩擦で回転でき、回転特性の改善が図られる。
【図面の簡単な説明】
【図１】本発明の一実施形態としてのスピンドルユニットの断面図である。
【図２】図１のスピンドルユニットの側面図である。
【符号の説明】
１  軸体
２  カラー（肩部）
３  軸受ハウジング
３ａ，３ｂ  端部
４  第一のころがり軸受
５  第一の肩部
６  第二のころがり軸受
７  弾性部材
８  第一のロックワッシャ
９  第二のロックワッシャ
９ａ  環状フランジ
１０  スロットシール
１１  シール
【図１】
0003630663.tif 000002
【図２】
0003630663.tif 000003